(57)【要約】【課題】  冷間圧造による安価な製造を可能とし、高い軸力による締結力を保持しつつ、破断させた六角部を廃棄せずに弛み止め効果を向上させることに利用し、ソケットレンチによる締結操作時の不具合を防ぎ、容易に破断トルク値の調整や寸法管理ができる、セキュリティナットを提供する。【解決手段】  円錐台形状に形成されたテーパナット部２と、六角ナット状の締付ナット部３と、前記締付ナット部３を前記テーパナット部２の上底に破断分離可能に連結してなる破断分離部４とを有するセキュリティナット１であって、前記テーパナット部２の上底の直径が前記締付ナット部３の対角線の長さ以上の大きさに形成されているとともに、前記破断分離部４が前記締付ナット部３の相対する二辺にのみ設けられている。【選択図】  図１
2018031411.tif 000002
【特許請求の範囲】
【請求項１】
円錐台形状に形成されたテーパナット部と、六角ナット状の締付ナット部と、前記締付ナット部を前記テーパナット部の上底に破断分離可能に連結してなる破断分離部とを有するセキュリティナットであって、
前記テーパナット部の上底の直径が前記締付ナット部の対角線の長さ以上の大きさに形成されているとともに、前記破断分離部が前記締付ナット部の相対する二辺にのみ設けられている、前記セキュリティナット。
【発明の詳細な説明】
【技術分野】
【０００１】
本発明は、一般的な締結工具による取り外しを防止したセキュリティナットに関するものである。
【背景技術】
【０００２】
従来の一般的なナットは、六角形等の多角形状に形成されており、ソケットレンチやスパナ等の一般的な工具を使用することで容易に弛めることができる。このため、金属製品、各種機械や器具等をはじめ、例えば、ソーラーパネル、エアコン室外機、監視カメラ等の施設の盗難が多発している。よって、このような場合に用いられるナットには、単なる取り外し難いというばかりでなく、完璧な盗難防止対策が求められている。
【０００３】
このような問題を解決するため、ナットを円錐台形状に形成することで一般的な工具による取り外しを防止したセキュリティナットに関する発明が提案されている。例えば、特開２０１２−１７８３２号公報では、ナットが円錐台部分と角状部分とで構成されており、前記ナットの回転操作力が所定のトルク値に達したときに前記角状部分が破断されるように、前記円錐台部分と前記角状部分との連結部分が全周にわたって環状に形成された凹溝を有する、締結構造が提案されている（特許文献１）。この特許文献１によれば、凹溝の破断トルク値を一定にコントロールすることにより安定した締結力を得ることができ、また、角状部分が破断されるのでナットを逆回転操作できなくなって盗難防止機能を奏することができるとされている。また、前記角状部分の回転中心位置には、雌ネジ溝のない挿通穴が形成されており、前記凹溝を低トルク値で破断させることができるようになっている。
【先行技術文献】
【特許文献】
【０００４】
【特許文献１】特開２０１２−１７８３２号公報
【発明の概要】
【発明が解決しようとする課題】
【０００５】
しかしながら、特許文献１に記載された発明においては、ボルトサイズ６〜５０ｍｍまでの対応が求められ、さらに防振防音（ゴム座）、樹脂ベース等に対して低トルクによる締結が要求される場合、薄い凹溝部の加工精度が必要となるためコストが高くなる。また、輸送中に凹溝部が変形する等の問題が有る。さらに、角状部分を破断除去した後には鋭利な破断面が露出してしまうため、怪我などの危険があるし、意匠的にも美しくない。しかも除去した角状部分は産業廃棄物として処理しなければならず、処理の手間やコストがかかるし、そもそも貴重な素材を無駄に廃棄しているという問題がある。
【０００６】
本発明は、以上のような問題点を解決するためになされたものであって、冷間圧造による安価な製造を可能とし、高い軸力による締結力を保持しつつ、破断させた六角部を廃棄せずに弛み止め効果を向上させることに利用し、ソケットレンチによる締結操作時の不具合を防ぎ、容易に破断トルク値の調整や寸法管理ができる、セキュリティナットを提供することを目的としている。
【課題を解決するための手段】
【０００７】
本発明に係るセキュリティナットは、冷間圧造による安価な製造方法による製造し、高い締結力を保持しながら六角部を容易に破断しつつも廃棄せずに弛み止め効果を向上させるという課題を解決するために、円錐台形状に形成されたテーパナット部と、六角ナット状の締付ナット部と、前記締付ナット部を前記テーパナット部の上底に破断分離可能に連結してなる破断分離部とを有するセキュリティナットであって、前記テーパナット部の上底の直径が前記締付ナット部の対角線の長さ以上の大きさに形成されているとともに、前記破断分離部が前記締付ナット部の相対する二辺にのみ設けられている。
【発明の効果】
【０００８】
本発明によれば、冷間圧造による安価な製造を可能とし、高い軸力による締結力を保持しつつ、破断させた六角部を廃棄せずに弛み止め効果を向上させることに利用し、ソケットレンチによる締結操作時の不具合を防ぎ、容易に破断トルク値の調整や寸法管理ができる。
【図面の簡単な説明】
【０００９】
【図１】本発明に係るセキュリティナットの一実施形態を示す斜視図である。
【図２】本実施形態のセキュリティナットを示す正面図である。
【図３】本実施形態のセキュリティナットを示す平面図である。
【図４】図４におけるＡ−Ａ断面図である。
【図５】本実施形態のセキュリティナットを示す側面図である。
【図６】本実施形態のセキュリティナットの使用例を示す図であって（ａ）被締結部材に挿通された固定ボルトに締結させる場合の使用状態、（ｂ）被締結部材に挿通された寸切りボルトに締結させる場合の使用状態、および（ｃ）２つの被締結部材に挿通された寸切りボルトに両側から締結させる場合の使用状態をそれぞれ示す図である。
【発明を実施するための形態】
【００１０】
以下、本発明に係るセキュリティナットの一実施形態について図面を用いて説明する。
【００１１】
本実施形態のセキュリティナット１は、図１および図２に示すように、円錐台形状に形成されたテーパナット部２と、六角ナット状の締付ナット部３と、前記締付ナット部３を前記テーパナット部２の上底に破断分離可能に連結してなる破断分離部４とを有する。以下、各構成について詳細に説明する。
【００１２】
テーパナット部２は、被締結部材５側のボルト６等に締結されるナットであって、図３および図４に示すように、回転中心位置に雌ネジ溝が形成されており、外周部は円錐台形状に形成されている。このテーパナット部２は、締結後において一般的な締結工具によって取り外すことのできない傾斜角度に形成されており、例えば、図２に示すように、下底縁部からの垂直線（図２の一点鎖線）に対して約３０度の角度を有することが好ましい。
【００１３】
また、テーパナット部２の上底の直径は、高精度の切削加工に比べて安価に製造可能な冷間圧造によって製造できるように、図２、図３および図５に示すように、締付ナット部３の対角線の長さ以上の大きさに形成されている。冷間圧造とは、常温において金属を圧力により成形する加工方法であり、主に、金属部材に圧力を加えるパンチと、金型であるダイスとの組み合わせにより製品を作り出すものである。つまり、本実施形態のテーパナット部２は、前記パンチと前記ダイスとにより形成可能とするため、上底側の締付ナット部３よりも大きくかつ下底に向けて拡径するように形成されている。
【００１４】
締付ナット部３は、テーパナット部２にトルクを伝達するためのものであり、一般的なソケットレンチやスパナ等に嵌合可能または係止可能な六角ナット状に形成されている。締付ナット部３は、テーパナット部２から破断分離後に被締結部材５側のボルト６に残留可能とするため、図３および図４に示すように、回転中心位置に前記テーパナット部２の雌ネジ溝と連続する雌ネジ溝が形成されている。
【００１５】
破断分離部４は、締付ナット部３をテーパナット部２の上底に連結するとともに所定以上のトルクがかかることにより破断して前記テーパナット部２から前記締付ナット部３を分離させるものである。この破断分離部４は、締付ナット部３から伝達されるトルクによる応力を集中させるため、前記締付ナット部３の相対する二辺にのみ設けられている。本実施形態における破断分離部４は、破断分離後にテーパナット部２の上底に残る破断分離部４の残留凸状部によってソケットレンチ等による締結を妨げないように、相互の間隔が最も短くなる締付ナット部３の側面の略中央位置に形成されている。つまり、このような相対する二辺にのみ破断分離部４を形成することにより、破断後の残留凸状部が締付ナット部３の角部下方に収まり、外方向に飛び出てしまう可能性が低いため、ソケットレンチ等の締め付け操作の妨げになることを未然に防ぐことができる。
【００１６】
また、各破断分離部４は、図２および図４に示すように締付ナット部３の側面に対して周方向に、それぞれ所定の幅となるように形成されており、当該幅の寸法を適宜設定することで破断するトルクの値の大きさを調整するようになっている。なお、破断分離部４は、例えばテーパナット部２の上底と締付ナット部３との間に平行に設置した一対の回転式カッターで切削加工することにより形成できるが、ナットのサイズに応じてその一対の回転式カッターの間の隙間や各回転式カッターの厚さ等を調整することにより、破断分離部４の破断トルク値を調整し、寸法管理がなされる。
【００１７】
つぎに、本実施形態のセキュリティナット１における各構成の作用について説明する。
【００１８】
図６に示すように、被締結部材５に挿通されたボルト６に本実施形態のセキュリティナット１を締結する。具体的には、締付ナット部３にソケットレンチやスパナ等の締結工具を嵌合または係合させ、当該締結工具により回転させつつ前記ボルト６に螺合させる。
【００１９】
セキュリティナット１は、テーパナット部２が被締結部材５に当接するまで螺進される。そして、この状態で締付ナット部３にさらにトルクをかけると前記テーパナット部２は螺進できないため、当該トルクはセキュリティナット１にかかる。このとき、破断分離部４は、締付ナット部３の相対する二辺にのみ設けられているとともに前記テーパナット部２や前記締付ナット部３に比べて小さな寸法に形成されているため、前記トルクによる応力が集中する。
【００２０】
そして、破断分離部４は、破断トルク値以上のトルクがかかると破断し、テーパナット部２と締付ナット部３とは分離する。このとき前記テーパナット部２は、締付ナット部３が分離されるまでの締結力によって確実に被締結部材５に締結される。
【００２１】
また、本実施形態では、分離した締付ナット部３はさらにトルクを与えてテーパナット部２側に締め付けて被締結部材５に挿通させたボルト６に残留させる。このとき、仮に分離された破断分離部４が前記テーパナット部２の上底に凸状に残留したとしても、破断分離部４が前記締付ナット部３側面の相対する二辺の略中央位置に形成されているため、前記残留凸状部が締付ナット部３の角部下方に収まりやすく、ソケットレンチ等の締結工具に当接して回転を妨げたり、ソケットレンチ等を傷つけたりすることがない。
【００２２】
また、ボルト６に残留した締付ナット部３は、テーパナット部２の雌ネジと締付ナット部３の雌ネジとに段差が生じることで、二重ナットと同様の効果、つまり雌ネジと雄ネジの接触面積が増え、弛み止め効果が発揮される。よって、残留された締付ナット部３は、産業廃棄物として処理する必要がないばかりでなく、テーパナット部２の弛み止めとしても機能する。
【００２３】
一方、仮に当該締付ナット部３が逆方向に回転されて弛められてもテーパナット部２とは分離されているため、前記テーパナット部２に回転力は伝達されない。また、前記テーパナット部２は、一般的な締結工具では締結作業を行うことができないため、従来のセキュリティナットと同様、金属製品、各種機械や器具、ソーラーパネル施設等の盗難を防止することができる。
【００２４】
以上のような本実施形態によれば、以下の効果を奏することができる。
１．破断分離部４を締付ナット部３の相対する二辺にのみ設けたことにより、高い軸力による締結力を保持しつつ、当該破断分離部４にトルクによる応力を集中させて適切に破断させることができる。
２．破断後の残留凸状部がソケットレンチ等の締め付け操作を妨げない。
３．破断するトルクの値を定める破断分離部４の寸法管理が容易になるため、破断トルク値の調整を簡単に行うことができる。
４．テーパナット部２の上底側を締付ナット部３よりも大きく形成するとともに、下底に向けて拡径するように形成することで、比較的安価な製造方法である冷間圧造により製造することができる。
５．締付ナット部３をボルト６に残留させることで産業廃棄物として処理する無駄がなくなる。
６．残留させた締付ナット部３によって弛み止めナットとしての機能を高められるとともに、破断面による怪我を防止し、締結後の意匠的にも美しい。
【００２５】
なお、本発明に係るセキュリティナットは、前述した実施形態に限定されるものではなく、適宜変更することができる。
【符号の説明】
【００２６】
１  セキュリティナット  
２  テーパナット部
３  締付ナット部
４  破断分離部
５  被締結部材
６  ボルト
【図１】
2018031411.tif 000003
【図２】
2018031411.tif 000004
【図３】
2018031411.tif 000005
【図４】
2018031411.tif 000006
【図５】
2018031411.tif 000007
【図６】
2018031411.tif 000008
【手続補正書】
【提出日】平成29年1月24日(2017.1.24)
【手続補正１】
【補正対象書類名】特許請求の範囲
【補正対象項目名】全文
【補正方法】変更
【補正の内容】
【特許請求の範囲】
【請求項１】
円錐台形状に形成されたテーパナット部と、六角ナット状の締付ナット部と、前記締付ナット部を前記テーパナット部の上底に破断分離可能に連結してなる破断分離部とを有するセキュリティナットであって、
前記テーパナット部の上底の直径が前記締付ナット部の対角線の長さ以上の大きさに形成されており、前記破断分離部が前記締付ナット部の相対する二つの側面の略中央位置下方にのみ設けられているとともに、当該破断分離部が前記テーパナット部の上底と締付ナット部の下面との間に上下方向に隙間をあけつつ前記テーパナット部および前記締付ナット部と一体形成されてなる、前記セキュリティナット。
【手続補正書】
【提出日】平成29年6月19日(2017.6.19)
【手続補正１】
【補正対象書類名】特許請求の範囲
【補正対象項目名】全文
【補正方法】変更
【補正の内容】
【特許請求の範囲】
【請求項１】
円錐台形状に形成されたテーパナット部と、六角ナット状の締付ナット部と、前記締付ナット部の下面と前記テーパナット部の上底とを破断分離可能に連結してなる破断分離部とを有するセキュリティナットであって、
前記テーパナット部の上底の直径が前記締付ナット部の対角線の長さ以上の大きさに形成されており、前記破断分離部が前記締付ナット部の相対する二つの側面の上下方向と直交する横方向の略中央位置下方であって前記締付ナット部の下面にのみ設けられているとともに、当該破断分離部が前記テーパナット部の上底と締付ナット部の下面との間に上下方向に隙間をあけつつ前記テーパナット部および前記締付ナット部と一体成形されてなる、前記セキュリティナット。